(57)【要約】【課題】  上壁部と下壁部とを備える包装容器において、内容物を取り出すための開口を側壁に配置する技術を提供する。【解決手段】  包装容器は、上壁部と下壁部とを組み合わせて作製されていてもよい。下壁部は、底壁と、底壁から上方に向かって配置されている下側側壁と、を備え、上壁部は、底壁に離間して配置されている天壁と、天壁から下方に向かって配置されており、下側側壁に重なって配置されている上側側壁と、を備え、下側側壁と上側側壁によって、底壁と天壁との間の空間が囲まれており、下側側壁と上側側壁のうち、外側に位置する一方の側壁は、正面と正面の両側端に位置する側面とを備え、一方の側壁は、第１破断線によって画定されており、正面から側面まで伸びる第１破断部を備え、下側側壁と上側側壁のうち、内側に位置する他方の側壁は、第１破断部の正面の内側で開放されていてもよい。【選択図】  図１
2019108153.tif 000002
【特許請求の範囲】
【請求項１】
上壁部と下壁部とを組み合わせて作製されている包装容器であって、
前記下壁部は、
底壁と、
前記底壁から上方に向かって配置されている下側側壁と、を備え、
前記上壁部は、
前記底壁に離間して配置されている天壁と、
前記天壁から下方に向かって配置されており、前記下側側壁に重なって配置されている上側側壁と、を備え、
前記下側側壁と前記上側側壁によって、前記底壁と前記天壁との間の空間が囲まれており、
前記下側側壁と前記上側側壁のうち、外側に位置する一方の側壁は、正面と前記正面の両側端に位置する側面とを備え、
前記一方の側壁は、第１破断線によって画定されており、前記正面から前記側面まで伸びる第１破断部を備え、
前記下側側壁と前記上側側壁のうち、内側に位置する他方の側壁は、前記第１破断部の前記正面の内側で開放されている、包装容器。
【請求項２】
前記下側側壁と前記上側側壁のそれぞれは、前記側面と背面とを有しており、
前記下側側壁は、前記側面及び前記背面において、前記上側側壁の内側で重なって配置されており、
前記下側側壁の上端は、前記側面及び前記背面において、前記上側側壁の上端と略同一の位置に位置しており、
前記上側側壁の下端は、前記側面及び前記背面において、前記包装容器の下端付近に位置している、請求項１に記載の包装容器。
【請求項３】
前記第１破断線は、前記側面において、前記正面に向かって上方に傾斜している、請求項１又は２に記載の包装容器。
【請求項４】
前記第１破断部は、前記正面から前記天壁まで伸びており、
前記第１破断線は、前記正面から前記天壁に伸びている、請求項１から３のいずれか一項に記載の包装容器。
【請求項５】
前記他方の側壁は、前記第１破断部の前記側面の内側において、前記第１破断部が破断された後に開口する開口部を有する、請求項１から４のいずれか一項に記載の包装容器。
【請求項６】
前記他方の側壁は、前記第１破断部の前記側面の内側において、第２破断線によって画定される第２破断部を備え、
前記第２破断部は、前記第１破断部の内側に接合されており、
前記第１破断部が前記第１破断線に沿って破断される際に、前記第２破断部が前記第１破断部に伴って前記第２破断線に沿って破断され、
前記開口部は、前記第２破断部が前記第２破断線に沿って破断されることによって、前記第１破断部が破断された後に開口する、請求項５に記載の包装容器。
【発明の詳細な説明】
【技術分野】
【０００１】
本明細書は、上壁部と下壁部とを備える包装容器に関する技術を開示する。
【背景技術】
【０００２】
特許文献１に、内容物を取り出すためのディスペンサを有する包装容器が開示されている。包装容器は、側面から正面に亘って配置されているディスペンサを有する。ディスペンサは、取り外し可能なディスペンサパネルを有する。ディスペンサパネルが包装容器から取り外されると、側面から正面に亘って開口するディスペンサ開口が形成される。これにより、内容物を取り出すことができる。
【先行技術文献】
【特許文献】
【０００３】
【特許文献１】特開２００９−５３０１９２号公報
【発明の概要】
【発明が解決しようとする課題】
【０００４】
上記の包装容器は、１枚のブランクを折り曲げることによって作製されている。そのため、それぞれが別個に準備された上壁部と下壁部とが組み合わされて作製される包装容器に関して考慮されていない。
【０００５】
本明細書では、上壁部と下壁部とを備える包装容器において、内容物を取り出すための開口を側壁に配置する技術を提供する。
【課題を解決するための手段】
【０００６】
本明細書で開示される技術は、包装容器に関する。包装容器は、上壁部と下壁部とを組み合わせて作製されていてもよい。前記下壁部は、底壁と、前記底壁から上方に向かって配置されている下側側壁と、を備え、前記上壁部は、前記底壁に離間して配置されている天壁と、前記天壁から下方に向かって配置されており、前記下側側壁に重なって配置されている上側側壁と、を備え、前記下側側壁と前記上側側壁によって、前記底壁と前記天壁との間の空間が囲まれており、前記下側側壁と前記上側側壁のうち、外側に位置する一方の側壁は、正面と前記正面の両側端に位置する側面とを備え、前記一方の側壁は、第１破断線によって画定されており、前記正面から前記側面まで伸びる第１破断部を備え、前記下側側壁と前記上側側壁のうち、内側に位置する他方の側壁は、前記第１破断部の前記正面の内側で開放されていてもよい。
【０００７】
上記の構成では、下側側壁と上側側壁とが重なって配置されている包装容器において、外側の側壁に内容物を取り出すための開口を形成するための第１破断部が配置されており、内側に配置されている側壁は、破断部の内側で開放されている。このため、第１破断部を破断させることによって、包装容器の外側から、包装容器の内部に収容されている内容物を取り出すことができる。この構成によれば、第１破断部を破断させるだけで、包装容器の外側から内容物に届く開口を形成することができる。
【０００８】
前記下側側壁と前記上側側壁のそれぞれは、前記側面と背面とを有しており、前記下側側壁は、前記側面及び前記背面において、前記上側側壁の内側で重なって配置されており、前記下側側壁の上端は、前記側面及び前記背面において、前記上側側壁の上端と略同一の位置に位置しており、前記上側側壁の下端は、前記側面及び前記背面において、前記包装容器の下端付近に位置していてもよい。第１破断部を破断させて、包装容器の側壁に開口が形成されると、包装容器は、上方からの力に対して弱くなる。上記の構成では、互いに重なっている上側側壁と下側側壁とを備えているため、上方からの力を上側側壁と下側側壁とで支持することができる。これにより、第１破断部を破断させて、包装容器の側壁に開口が形成されても、上方からの力に対して強度が低下することを抑制することができる。この結果、第１破断部を破断させた後に複数個の包装容器を積み重ねて配置させる場合に、下に配置される包装容器が潰れることを抑制することができる。
【０００９】
前記第１破断線は、前記側面において、前記正面に向かって上方に傾斜していてもよい。この構成によれば、側面から正面に向かって第１破断線を容易に破断させることができる。
【００１０】
前記第１破断部は、前記正面から前記天壁まで伸びており、前記第１破断線は、前記正面から前記天壁に伸びていてもよい。破断部を破断させて、包装容器に大きな開口を形成することができる。この結果、包装容器内の内容物を視認し易く、また、取り出す易くすることができる。
【００１１】
前記他方の側壁は、前記第１破断部の前記側面の内側において、前記第１破断部が破断された後に開口する開口部を有していてもよい。この構成によれば、開口部に手指を挿入することによって、側壁に手指を引っ掛けることができる。これにより、第１破断部を破断させて、包装容器の側壁に開口が形成された後の包装容器を、側壁に手指を引っ掛けて持ち上げることができる。
【００１２】
前記他方の側壁は、前記第１破断部の前記側面の内側において、第２破断線によって画定される第２破断部を備え、前記第２破断部は、前記第１破断部の内側に接合されており、前記第１破断部が前記第１破断線に沿って破断される際に、前記第２破断部が前記第１破断部に伴って前記第２破断線に沿って破断され、前記開口部は、前記第２破断部が前記第２破断線に沿って破断されることによって、前記第１破断部が破断された後に開口してもよい。この構成によれば、上側側壁と下側側壁との接合箇所である第２破断部を、第１破断部とともに、内側の側壁から切り離すことができる。これにより、破断部を破断させて、包装容器に開口を形成する際に、上側側壁と下側側壁とを分離することができる。
【図面の簡単な説明】
【００１３】
【図１】第１実施例の包装容器の斜視図を示す。
【図２】第１実施例の包装容器の正面図を示す。
【図３】第１実施例の上壁部の展開図を示す。
【図４】第１実施例の下壁部の展開図を示す。
【図５】第１実施例の上壁部の斜視図を示す。
【図６】第１実施例の下壁部の斜視図を示す。
【図７】第１実施例の包装容器の破断途中を示す斜視図を示す。
【図８】第１実施例の包装容器の破断途中を示す斜視図を示す。
【図９】第１実施例の包装容器の破断途中を示す斜視図を示す。
【図１０】第１実施例の包装容器の破断後を示す斜視図を示す。
【図１１】第２実施例の包装容器の斜視図を示す。
【図１２】第２実施例の上壁部の展開図を示す。
【図１３】第２実施例の包装容器の破断後を示す斜視図を示す。
【実施例】
【００１４】
（第１実施例）
図１〜図６を参照して、包装容器１０を説明する。包装容器１０は、食品や日用品等の内容物の包装に用いられる。図１に示すように、包装容器１０は、直方体形状を有する。包装容器１０は、例えば段ボール紙で作製されるが、包装容器１０の材料はダンボール紙以外の紙であってもよいし、紙に限定されず、プラスチック等であってもよい。
【００１５】
包装容器１０は、図５に示す上壁部１２と、図６に示す下壁部１４とを組み合わせることによって作製される。下壁部１４は、底壁２０と、下側側壁２２と、を備える。図４に示すように、下壁部１４は、１枚の平板のブランク５４を組み立てることによって作製されている。下側側壁２２は、正面板３０と、側板３２、３４と、背板３６と、を備える。
【００１６】
下側側壁２２は、ブランク５４において、背板３６、側板３４、正面板３０、側板３２の順で連続的に繋がっている。図４、図６に示すように、下側側壁２２は、ブランク５４が、背板３６、側板３４、正面板３０、側板３２のそれぞれの間に位置する折線５９で折り曲げられて作製される。下側側壁２２では、上方が開放されている。背板３６の側板３４と反対側の端辺には、接着片３８が連結されている。接着片３８は、側板３２の内面に接着されている。
【００１７】
背板３６は、矩形の平板形状を有する。背板３６の左右の両端辺のそれぞれには、側板３２と側板３４のそれぞれが連結されている。側板３２と側板３４とは、背板３６を挟んで対向している。側板３２と側板３４とは、側板３２の上端に設けられている切欠き３２ａを除いて同一の形状を有している。側板３２、３４は、それぞれ矩形状から正面側の一部が切り取られた形状を有している。詳細には、側板３２、３４の正面側の端辺は、上部で正面側に位置して、中間部で正面から後方に傾斜し、下部で背面側に位置する。このため、側板３２、３４の上端辺の前後方向の長さは、中間部よりも長い。
【００１８】
側板３２は、前後方向の中央で、上下方向の中央より下方に、矩形状の開口３２ｂを備える。また、側板３２は、開口３２ｂの前側に隣接して、破断部３２ｃを備える。破断部３２ｃは、断続的に並ぶスリットによって形成される破断線３２ｄによって画定されている。なお、「スリット」は、板を貫通する切込みである。破断線３２ｄは、破断部３２ｃの上下で円弧状に断続的に配置されている。また、破断線３２ｄは、前方で上下方向に平行に連続的に伸びている。破断部３２ｃの後方は、開口３２ｂによって側板３２の本体から切り離されている。
【００１９】
側板３４は、側板３２と同様の開口３４ｂ、破断部３４ｃ及び破断線３４ｄを備える。
【００２０】
側板３２、３４の正面側には、正面板３０が配置されている。正面板３０は、下壁部１４の下部に配置されている。このため、下側側壁２２の正面では、上方が開放されている。
【００２１】
正面板３０、側板３２、３４及び背板３６のそれぞれの下端には、底板４０、４２、４４、４６のそれぞれが連結されている。底壁２０は、底板４０、４２、４４、４６によって構成されている。詳細には、底板４０と底板４２とが接着されており、底板４４と底板４６とが接着されている。底板４０、４２と底板４４、４６とが互いに契合することによって、底壁２０が形成されている。
【００２２】
下壁部１４の上方には、上壁部１２が配置されている。上壁部１２は、下壁部１４を覆っている。図３、図５に示すように、上壁部１２は、天壁７０と、上側側壁７２と、を備える。上壁部１２は、１枚の平板のブランク５６を組み立てることによって作製されている。上側側壁７２は、正面板８０と、側板８２、８４と、背板８６と、を備える。
【００２３】
上側側壁７２は、ブランク５６において、背板８６、側板８４、正面板８０、側板８２の順で連続的に繋がっている。上側側壁７２は、ブランク５６が、背板８６、側板８４、正面板８０、側板８２のそれぞれの間に位置する折線５７で折り曲げられて作製される。側板８２の正面板８０と反対側の端辺には、接着片８８が連結されている。接着片８８は、背板８６の外面に接着されている。
【００２４】
正面板８０、側板８２、８４及び背板８６は、それぞれ矩形の平板形状を有する。背板８６は、背板３６の外側に位置している。背板８６は、背板３６と略同一の形状を有する。背板８６は、背板３６と重ねて配置される。背板８６の左右の両端辺のそれぞれには、側板８２と側板８４のそれぞれが連結されている。側板８２と側板８４とは、背板８６を挟んで対向している。側板８２と側板８４とは、同一の形状を有している。側板８２、８４は、矩形の平板形状を有する。側板８２は、側板３２と重ねて配置されており、側板８４は、側板３４と重ねて配置されている。
【００２５】
側板８２、８４の正面側には、正面板８０が配置されている。正面板８０は、正面板３０の外側に位置している。正面板８０は、正面板３０の正面側を覆っている。
【００２６】
正面板８０及び側板８２、８４には、正面板８０及び側板８２、８４に亘って、破断部１００が配置されている。破断部１００の上端には、正面板８０の上端付近に配置されている破断線８０ａが配置されている。破断線８０ａは、左右方向に平行に配置されている。正面板８０に配置されている破断部１００は、破断線８０ａと正面板８０の下端辺によって画定されている。破断線８０ａは、断続的に並ぶスリットによって構成されている。後述する破断線８２ａ、８２ｂ、８２ｄ、８４ａ、８４ｂ、８４ｄも同様に、断続的に並ぶスリットによって構成されている。
【００２７】
側板８２は、破断線８０ａに連続する破断線８２ａを有する。破断線８２ａは、破断線８０ａの右端から後下方に直線的に伸びている。破断線８２ａは、下端において、破断線８２ｂに連結されている。破断線８２ｂは、側板３２の破断線３２ｄの上方において、破断線３２ｄに沿って配置されている。破断線８２ｂは、円弧形状を有する。
【００２８】
破断線８２ｂの後端には、折曲片８２ｃが配置されている。折曲片８２ｃでは、上下のそれぞれに前後方向に平行な直線状のスリット８２ｆが配置されている。折曲片８２ｃは、長方形形状を有しており、前端において、上下方向に直線状に伸びており、上下のスリットを繋ぐスリット８２ｅを有する。また、折曲片８２ｃは、後端において、側板８２の他の部分に切れ目無く繋がっている。折曲片８２ｃは、開口３２ｂの外側に位置する。
【００２９】
側板８２は、さらに、折曲片８２ｃの下端に、破断線８２ｄを備える。破断線８２ｄは、折曲片８２ｃの下端から、前下方に伸びている。側板８２に配置されている破断部１００は、破断線８２ａ、８２ｄ、折曲片８２ｃの前端のスリット８２ｅ、及び側板８２の下端辺によって画定されている。側板３２の破断部３２ｃは、破断線８２ｂ、８２ｄ及び折曲片８２ｃの前端のスリット８２ｅによって画定される領域の内側に位置する。
【００３０】
側板８４は、側板８２と同様に、破断線８４ａ、８４ｂ、８４ｄ及びスリット８４ｅ、８４ｆで画定される折曲片８４ｃを備える。この構成では、破断部１００は、破断線８０ａ、８２ａ、８２ｂ、８２ｄ、８４ａ、８４ｂ、８４ｄ及び、折曲片８２ｃ、８４ｃによって画定されている。
【００３１】
天壁７０は、正面板８０、側板８２、８４及び背板８６のそれぞれの上端から伸びる天板９０、９２、９４、９６によって構成されている。詳細には、天板９２、９４の上に、天板９０、９６が重なるように、正面板８０、側板８２、８４及び背板８６に対して折り曲げられることによって、天壁７０が構成される。天壁７０は、底壁２０に対して上下方向に間隔を有して配置されている。底壁２０と天壁７０との間の空間は、上側側壁７２と下側側壁２２とによって囲まれている。
【００３２】
上側側壁７２と下側側壁２２とは、破断部３２ｃ、３４ｃの外面が、破断部１００の内面、詳細には、破断線８２ｂの下方であって折曲片８２ｃのスリット８２ｅの前方に位置する領域、及び破断線８４ｂの下方であって折曲片８４ｃのスリット８４ｅの前方に位置する領域の内面に接着されることによって、互いに接合されている。
【００３３】
（破断部１００の破断方法）
次いで、図７〜図１０を参照して、包装容器１０の破断部１００を破断させる方法を説明する。図７に示すように、使用者は、まず、折曲片８２ｃ、８４ｃを包装容器１０の内側に押し込む。これにより、折曲片８２ｃ、８４ｃは、後端辺を軸に回動する。このとき、折曲片８２ｃ、８４ｃの内側には、側板３２、３４の開口３２ｂ、３４ｂが配置されているため、折曲片８２ｃ、８４ｃをスムーズに内側に回動させることができる。
【００３４】
この結果、使用者は、折曲片８２ｃ、８４ｃを回動させて形成された開口から、手指を挿入して、破断部１００の後端部に、包装容器１０の内側から指を引っ掛けることができる。次いで、図８に示すように、使用者は、破断部１００を図８の矢印方向に引っ張ることによって、破断線８２ｂ、８２ｄと破断線８２ａとを破断させる。前後方向に対して、破断線８２ａ、８２ｄは傾斜しており、破断線８２ｂは湾曲している。このため、前後方向に平行に伸びる場合と比較して、破断線８２ａ、８２ｂ、８２ｄをスムーズに破断させることができる。使用者は、同様に、破断線８４ｂ、８４ｄと破断線８４ａとを破断させる。これにより、図９に示すように、正面から見ると、破断部１００の両側端が上側側壁７２から切り離される。
【００３５】
破断線８２ｂ、８２ｄと破断線８２ａとを破断させると、下側側壁２２の破断部３２ｃ、３４ｃは、破断部１００に伴って、側板３２、３４から破断される。これにより、側板３２、３４に開口部３２ｅ、３４ｅが形成される。
【００３６】
次いで、正面板８０の破断線８０ａを破断させることによって、破断部１００を切り離すことができる。
【００３７】
図１０に示すように、破断部１００が切り離された後の包装容器１０は、正面側に大きな開口が形成される。これにより、内容物が収容されている状態で、正面の開口から内容物を容易に取り出すことができる。このため、例えば、内容物である商品を店舗に陳列する際に、わざわざ包装容器１０から取り出して、棚に商品を陳列しなくても、破断部１００を切り離して、商品が収容されている状態で包装容器１０を店舗内に配置すればよい。これにより、陳列作業を簡略化することができる。
【００３８】
また、包装容器１０では、破断部１００が切り離された後、天壁７０が残っている。このため、複数個の包装容器１０を上下方向に重ねて配置することができる（図１０参照）。下側側壁２２の側板３２、３４の上端は、上側側壁７２の側板８２、８４の上端と略同一の位置に位置している。略同一とは、同一である場合と、若干ずれている場合を含む。また、下側側壁２２の背板３６の上端は、上側側壁７２の背板８６の上端と略同一の位置に位置している。また、上側側壁７２の側板８２、８４と背板８６とは、包装容器１０の下端に略一致する。略一致とは、位置する場合と、若干ずれている場合を含む。
【００３９】
この構成によれば、下方に配置されている包装容器１０は、上方に重ねられた包装容器１０を、二重に配置されている側板３２、３４、８２、８４及び背板３６、８６によって支持することができる。これにより、下方に配置されている包装容器１０が変形することを抑制することができる。
【００４０】
また、側板８２、８４の破断線８２ｄ、８４ｄを前方に傾斜させることによって、破断部１００が切り離された後の側板８２、８４の下端辺が短くなることを抑制することができる。これにより、破断部１００が切り離された後の包装容器１０の強度が低下することを抑制することができる。また、側板８２、８４の下端辺を長く残すことによって、上壁部１２が前方に倒れることを抑制することができる。
【００４１】
さらに、破断部１００を破断することによって、破断部３２ｃ、３４ｃが破断され、開口部３２ｅ、３４ｅが形成される。この構成によれば、図１０に示すように、開口部３２ｅ、３４ｅに手指を挿入することによって、下側側壁２２に手指を引っ掛けることができる。これにより、開放後の包装容器１０に手指を引っ掛けて持ち上げることができる。
【００４２】
上側側壁７２と下側側壁２２とは、破断部３２ｃ、３４ｃの外面と破断部１００の内面とを接着することによって、接合されている。この構成によれば、破断部１００を切り離すことによって、上側側壁７２と下側側壁２２との接合を解除することができる。これにより、包装容器１０の使用後に、包装容器１０を容易に片付けることができる。
【００４３】
（第２実施例）
図１１〜図１３を参照して、第１実施例と異なる点を説明する。なお、本実施例では、第１実施例の包装容器１０と対応する構成には、同一の符号を付して説明する。本実施例の包装容器２１０は、破断部２００の形状が破断部１００と異なる。具体的には、破断部２００は、破断線２８０ａ、２８０ｂ、２９０ａ、２９０ｂ、２９０ｃ、８２ａ、８２ｂ、８２ｄ、８４ａ、８４ｂ、８４ｄ、スリット８２ｅ、８４ｅ及び正面板８０の下端辺、側板８２、８４の下端辺によって画定される。即ち、破断部２００は、側板８２、８４上では、破断部１００と同一の形状を有する。なお、下壁部１４は、第１実施例と同一形状を有する。
【００４４】
正面板８０において、破断部２００は、破断線８２ａ，８４ａのそれぞれに連続する破断線２８０ａ、２８０ｂによって、正面板８０と切り離される。破断線２８０ａは、展開図において、破断線８２ａの直線上に配置される。破断線２８０ａは、正面板８０の破断線８２ａの上端から左上方に傾斜して、正面板８０の上端まで達している。破断線２８０ｂは、展開図において、破断線８４ａの延長線上に配置される。破断線２８０ｂは、正面板８０の破断線８４ａの上端から右上方に傾斜して、正面板８０の上端まで達している。
【００４５】
破断部２００は、天壁７０まで伸びている。天壁７０の天板９０は、破断線２９０ａ、２９０ｂ、２９０ｃを備える。破断線２９０ａは、展開図において、破断線８２ａ、２８０ａの延長線上に配置されている。破断線２９０ａは、破断線２８０ａの上端から左後方に傾斜している。破断線２９０ａは、天板９０の前後方向の中間位置、より具体的には、前端から前後方向の約１／３の位置まで伸びている。破断線２９０ｂは、展開図において、破断線８４ａ、２８０の延長線上に配置されている。破断線２９０ｂは、破断線２８０ｂの上端から右後方に傾斜している。破断線２９０ｂは、天板９０の前後方向において、破断線２９０ａと同一位置に位置する。破断線２９０ｃは、破断線２９０ａの後端から２９０ｂの後端まで、左右方向に平行に伸びている。
【００４６】
破断部２００は、破断部１００と同様に、折曲片８２ｃ、８４ｃを押し込んで、破断部２００に手指を引っ掛けて引っ張り、破断線２８０ａ、２８０ｂ、２９０ａ、２９０ｂ、２９０ｃ、８２ａ、８２ｂ、８２ｄ、８４ａ、８４ｂ、８４ｄを破断させることによって、包装容器２１０から破断される。
【００４７】
この構成によっても、第１実施例と同様の効果を奏することができる。また、図１３に示されるように、破断部２００が破断された後の包装容器２１０では、天壁７０まで開放されている。これにより、包装容器２１０内の内容物を視認し易く、また、取り出す易くすることができる。
【００４８】
以上、本発明の実施形態について詳細に説明したが、これらは例示に過ぎず、特許請求の範囲を限定するものではない。特許請求の範囲に記載の技術には、以上に例示した具体例を様々に変形、変更したものが含まれる。
【００４９】
（変形例）
（１）上記の実施例では、包装容器１０は、直方体形状を有している。しかしながら、包装容器１０の形状は、直方体形状以外に、円柱形状、六角柱形状等、他の形状を有していてもよい。
【００５０】
（２）破断部１００、２００の形状は、上記の実施例の形状に限定されない。例えば、破断部１００では、正面の上端が湾曲していてもよい。即ち、破断線８０ａが湾曲していてもよい。
【００５１】
（３）上記の実施例では、破断線８０ａ等は、複数のスリットが断続的に並ぶ構成を有している。しかしながら、破断線８０ａ等は、これに限らず、破断線８０ａ等が設けられていない箇所と比較して、破断させ易くされていればよい。例えば、破断線８０ａでは、破断線８０ａ等が設けられていない箇所と比較して、板厚が薄くされていてもよい。
【００５２】
（４）下側側壁２２の側板３２、３４の上端は、上側側壁７２の側板８２、８４の上端と略同一の位置に位置していなくてもよい。また、下側側壁２２の背板３６の上端は、上側側壁７２の背板８６の上端と略同一の位置に位置していなくてもよい。また、上側側壁７２の側板８２、８４と背板８６とは、包装容器１０の下端に略一致していなくてもよい。
【００５３】
（５）第１実施例において、正面板８０は、破断線８０ａとともに、破断線８０ａの下方に位置する破断線を有していてもよい。側板８２、８４の破断線８２ｄ、８４ｄは、破断線８０ａの下方に位置する破断線に連結されていてもよい。この構成では、破断部１００は、正面板８０及び側板８２、８４の下端辺に達しておらず、破断線８０ａ等の破断線によって画定されていてもよい。第２実施例の破断部２００も同様である。
【００５４】
（６）底壁２０、天壁７０、及び側壁２２、７２の構成は、上記の各実施例の構成に限られない。例えば、底壁２０は、１枚の平板によって構成されていてもよい。この場合、下側側壁２２の正面板３０、側板３２、３４及び背板３６のそれぞれは、底壁２０の各辺に回動可能に連結しており、互いに接着されていてもよい。同様に、天壁７０は、１枚の平板によって構成されていてもよい。
【００５５】
（７）上記の各実施例では、上側側壁７２が下側側壁２２よりも外側に配置されている。しかしながら、下側側壁２２が上側側壁７２よりも外側に配置されていてもよい。この場合、下側側壁２２に、破断部１００、２００が配置されていてもよい。
【００５６】
また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成するものであり、そのうちの一つの目的を達成すること自体で技術的有用性を持つものである。
【符号の説明】
【００５７】
１０      ：包装容器
１２      ：上壁部
１４      ：下壁部
２０      ：底壁
２２      ：下側側壁
３０      ：正面板
３２、３４：側板
３２ｃ、３４ｃ：破断部
３２ｄ、３４ｄ：破断線
３２ｅ、３４ｅ：開口部
７０      ：天壁
７２      ：上側側壁
８０      ：正面板
８０ａ    ：破断線
８２、８４：側板
８２ａ、８２ｂ、８２ｄ、８４ａ、８４ｂ、８４ｄ：破断線
１００    ：破断部
２００    ：破断部
２１０    ：包装容器
２８０ａ、２８０ｂ、２９０ａ、２９０ｂ、２９０ｃ：破断線
【図１】
2019108153.tif 000003
【図２】
2019108153.tif 000004
【図３】
2019108153.tif 000005
【図４】
2019108153.tif 000006
【図５】
2019108153.tif 000007
【図６】
2019108153.tif 000008
【図７】
2019108153.tif 000009
【図８】
2019108153.tif 000010
【図９】
2019108153.tif 000011
【図１０】
2019108153.tif 000012
【図１１】
2019108153.tif 000013
【図１２】
2019108153.tif 000014
【図１３】
2019108153.tif 000015